(57)【要約】  部品の貫通部に挿入可能なサポートスリーブであって、この部品を支持体に固定するため、上記サポートスリーブの孔に、支持体に挿入可能な固定ピン、特にネジが貫通されるサポートスリーブである。サポートスリーブは、断面が閉じた輪として形成され、かつ、サポートスリーブの全長にわたって延びる複数の軸方向に延在する凹部を有し、半径方向の圧力がサポートスリーブに加えられたとき、凹部の底部が内側に湾曲するのに伴って、上記凹部の壁部が相互に接近する。
2005515381.tif 000002
【特許請求の範囲】
【請求項１】
部品（３９）の貫通部（１４）に挿入可能なサポートスリーブ（１，２１，３４）であって、前記部品（３９）を支持体（４０）に固定するため、前記サポートスリーブ（１，２１，３４）の孔（４１）に、前記支持体（４０）に挿入可能な固定ピン、特にネジ（１３，４３）が貫通されるサポートスリーブ（１，２１，３４）において、前記サポートスリーブ（１，２１，３４）は、断面が閉じた輪として形成され、かつ、前記サポートスリーブ（１，２１，３４）の全長にわたって延びる複数の軸方向に延在する凹部（２，３，４，５；２２，２３，２４，２５）を有し、半径方向の圧力が前記サポートスリーブ（１，２１，３４）に加えられたとき、前記凹部（２，３，４，５；２２，２３，２４，２５）の底部（８）が内側に湾曲するのに伴って、前記凹部（２，３，４，５；２２，２３，２４，２５）の壁部（６，７；３５，３６）が相互に接近することを特徴とするサポートスリーブ。
【請求項２】
前記凹部（２，３，４，５；２２，２３，２４，２５）は、前記輪に沿って均一に配置されることを特徴とする請求項１に記載のサポートスリーブ。
【請求項３】
前記固定ピン（１３）を確実に保持するため、前記凹部（２，３，４，５；２２，２３，２４，２５）の前記底部（８）は、前記サポートスリーブ（１，２１，３４）の一端に、内方に向いた突出部（１５，１６，１７，１８）を有することを特徴とする請求項１又は２に記載のサポートスリーブ。
【請求項４】
前記突出部（１５，１６，１７，１８）は、前記固定ピン（１３）の直径の拡大部、特に前記固定ピンのねじ山（２０）の直径の拡大部に対する前記サポートスリーブの前記孔（４１）の狭窄部を形成することを特徴とする請求項３に記載のサポートスリーブ。
【請求項５】
前記狭窄部は、前記固定ピン（４３）によって案内されるワッシャ（４５）を支持し、前記ワッシャ（４５）は、反対側において前記拡大部によって支持されることを特徴とする請求項４に記載のサポートスリーブ。
【請求項６】
前記ワッシャ（４５）の開口部（４８）は、３つの重なり合う円形領域によって画成され、前記円形領域の中心点は、円弧（５５）上にあり、前記円弧の中心点は、前記サポートスリーブの軸線と一致し、前記円弧領域の前記３つの中心点は、前記円弧（５５）上に均一に配置されることを特徴とする請求項５に記載のサポートスリーブ。
【請求項７】
前記凹部（２２，２３，２４，２５）は、前記凹部を連結する凸部（２６，２７，２８，２９）に比して軸方向にわずかに長く延出していることを特徴とする請求項１ないし６のいずれか一つに記載のサポートスリーブ。
【請求項８】
前記凹部（２２，２３，２４，２５）を連結する前記凸部（２６，２７，２８，２９）は、断面が軸方向に連続する波状溝（３０，３１，３２，３３）を形成することを特徴とする請求項１ないし７のいずれか一つに記載のサポートスリーブ。
【請求項９】
前記凹部（３７）の前記壁部（３５，３６）は、前記半径方向に対して斜め方向に延在し、前記各凹部（３７）は、前記半径方向（３８）に関する斜め位置を均一に繰り返すことを特徴とする請求項１ないし８のいずれか一つに記載のサポートスリーブ。
【請求項１０】
前記サポートスリーブ（１）の前記孔（４１）を画成する前記凹部（２，３，４，５；２２，２３，２４，２５）は、前記ネジ（１３）が前記サポートスリーブ（１）内にねじ込まれるとき、前記ネジ（１３）が内ネジを切るように、ネジ（１３）形態の前記固定ピンに対して小径であることを特徴とする請求項１ないし９のいずれか一つに記載のサポートスリーブ。
【発明の詳細な説明】
【技術分野】
【０００１】
本発明は、部品の貫通部に挿入可能なサポートスリーブに関し、部品を支持体に固定するため、支持体に挿入可能な固定ピン、特にネジが、サポートスリーブの孔を貫通するものである。
【背景技術】
【０００２】
このようなサポートスリーブは、ＤＥ−ＯＳ１９５３４０３４Ａ１に開示されている。サポートスリーブは、部品の貫通部に挿入され、部品を支持体にねじ止めするためのネジを受け入れる。ネジの頭部と支持体とによって部品に付与される力は、サポートスリーブによって緩和され、サポートスリーブは、部品の貫通部に固定され、その結果、ネジによって発生する過剰な圧縮力に対して、どのような繊細な材料からなる部品をも保護する。サポートスリーブが部品の貫通部に支持されるように、サポートスリーブに対して半径方向の柔軟性を付与するため、サポートスリーブには長手方向にスリットが形成されている。この長手方向のスリットにより、サポートスリーブにスプリング効果が付与される結果、サポートスリーブを部品の貫通部に容易に挿入することができ、かつ、貫通部に一定の締め付け効果を付与する。
【特許文献１】ＤＥ−ＯＳ１９５３４０３４Ａ１公報
【発明の開示】
【発明が解決しようとする課題】
【０００３】
公知のサポートスリーブは、ネジによって付与される圧力に対して、すなわち、特にネジの頭部によってサポートスリーブの各端部へ付与される圧力に対して、十分に耐えることができるように、サポートスリーブは、比較的大きな壁厚を有していなければならない。しかしながら、そのために、サポートスリーブは、スリットがあるにも拘わらず、特に大きな柔軟性を有することができない。壁厚が大きいと、サポートスリーブは、比較的大きな半径方向の力が付与されたときだけ、圧縮されるようになる。
【０００４】
本発明の目的は、サポートスリーブのスプリング力をかなりの余裕をもって選択することができ、ネジから受ける圧縮力をサポートスリーブの対応する大きさの端面によって吸収することができる、サポートスリーブを提供することである。
【課題を解決するための手段】
【０００５】
本発明の目的は、次のようにして達成される。すなわち、サポートスリーブは、断面が閉じた輪として形成され、かつ、サポートスリーブの全長にわたって延びる複数の軸方向に延在する凹部を有し、これにより、半径方向の圧力がサポートスリーブに加えられたとき、凹部の底部が内側に湾曲するのに伴って、凹部の壁部が相互に接近することにより達成される。
【発明の効果】
【０００６】
サポートスリーブが、サポートスリーブの長手方向に延びる、複数の連続した凹部を備えることにより、その凹部には、対応した数の底部が形成され、この底部によって、サポートスリーブの材料が湾曲可能なサポートスリーブの領域が形成される。サポートスリーブが４つの凹部を備えることは、サポートスリーブにとって有利な構成となり、その結果、内側に湾曲する４つの底部が得られ、この底部によってサポートスリーブはかなりの柔軟性を有することになる。勿論、サポートスリーブは、３つ又は２つの凹部を有するものであってもよいが、当然ながら、凹部の数が多くなるほど、サポートスリーブの柔軟性は大きくなり、凹部の数によってサポートスリーブの弾性が決定される。複数の凹部が配置されるために、サポートスリーブの端面には、サポートスリーブの線状断面が生じ、これにより、半径方向に、ネジあるいは他の固定ピンの頭部に対応した幅を有する支持面が得られる。勿論、同様のことは、サポートスリーブの反対側の端面についても言うことができ、部品が支持体に固定されるとき、この反対側の端面は支持体と接触する。
【発明を実施するための最良の形態】
【０００７】
固定ピンは、主としてネジであるが、釘の先端を支持体に固定できるのであれば、釘状のピンを利用することもできる。
【０００８】
凹部は、輪に沿って均一に配置されるのが好ましく、これにより、サポートスリーブの弾性が、サポートスリーブの全周にわたって均一に分配される。
【０００９】
サポートスリーブを固定ピンに確実に結合するため、凹部の底部は、サポートスリーブの一端に、内方に向いた突出部を有するように構成されることが好ましい。固定ピンの直径が、特にネジのネジ山などによって拡大しているため、突出部は、固定ピンの直径のこの拡大部（拡径部）に対する、サポートスリーブの孔の狭窄部を形成する。その結果、サポートスリーブに挿入されたネジは、頭部とネジ山との間に、それに対応した長さの首部が位置した状態となり、サポートスリーブに確実に結合される。ネジをサポートスリーブに挿入するためには、ネジをサポートスリーブに押し込み、サポートスリーブをその弾性によって変形させるか、あるいは、凹部の底部にある突出部がネジの首部領域にくるまで、ネジをサポートスリーブの孔に単純にねじ込めばよい。
【００１０】
サポートスリーブと固定ピンとを確実に結合する他の態様として、固定ピン上でワッシャを摺動させるものがある。このワッシャは、その一側が突出部によって形成される狭窄部によって支持され、他側が固定ピンの拡径部によって支持される。この拡径部は、上述のように、特にネジのネジ山でもよい。
【００１１】
ワッシャが、固定ピンとして作用するネジ上を容易に摺動できるようにするためには、ワッシャの開口部は、次のように構成されることが好ましい。すなわち、ワッシャの開口部は、３つの重なり合う円形領域によって画成され、この円形領域の各中心点は円弧上にあり、この円弧の中心点がサポートスリーブの軸線と一致し、円形領域の３つの中心点が、その円弧上に均一に配置されることである。この構成によって、対称的に配置された３つの円弧状凹部と鈍角状に収斂する円弧の交点とを備えた、ワッシャの円形状開口部が形成される。この円弧の交点は、鈍角の角部としてワッシャの開口部内へ突出し、固定ピンの拡径部、又はネジのネジ山よりも、その直径が小さい円環を形成する。
【００１２】
凹部は、凹部を連結する凸部（すなわち、サポートスリーブの半径方向外壁部）に比して、軸方向にわずかに長く延出していることが好ましい。これにより、固定ピンを備えた支持体は、必要であれば、部品に振動を伝えることなく、部品に相対する微細な振動を発生させることができる。何故ならば、この結合形式によって、凹部の延長部が支持体に確実に結合される一方、部品を支持する凸部によって、部品が弾性的に保持されるからである。
【００１３】
サポートスリーブの弾性を一層大きくするため、凹部を連結する凸部が、断面において、連続した波状溝を形成するように構成してもよい。この場合、波状溝の領域においても、凸部は一定の可撓性を有することになる。いずれにしても、このことによって、ネジに対する部品の弾性を大きくすることができる。
【００１４】
凹部の壁部は、凹部がそれぞれ半径方向に対する斜め位置を均一に繰り返すように、半径方向に対して斜めに並ぶようにしてもよい。この斜め位置は、ネジ（固定ピンとしての）が締め付けられたとき、駆動トルクが、ネジの頭部側に位置するサポートスリーブの端面に作用し、この駆動トルクは、対応して斜めに位置する壁部によって抵抗を受け、この斜め位置によって、端面に作用する力がほぼ各壁部の方向に沿って広がる。この構成において、壁部は、発生した摩擦力を効果的に吸収することができ、ネジが締め付けられたとき、サポートスリーブが回転することを防止する。
【００１５】
また、サポートスリーブは、ネジがサポートスリーブにねじ込まれたときに内ネジを切るように、サポートスリーブの孔を画成する凹部が、ネジ形態の固定ピンに対し、その径が小さくなる構成とすることが好ましい。それ故、この場合には、サポートスリーブとネジとの間は、ネジのネジ山を介した特別な支持状態となる。
【００１６】
サポートスリーブは、特に金属からなるものでもよい。しかしながら、サポートスリーブは、硬質弾性合成樹脂で射出成形することもできる。サポートスリーブの製造時に、ネジを固定する突出部は、内方へプレス成形するか、あるいは、型を適当な構成とすることにより、射出成形時に形成する。
【実施例】
【００１７】
図１ａは、サポートスリーブ１を示す斜視図であり、サポートスリーブ１は、本例の場合、４つの凹部２，３，４，５を有する。また、これらの凹部は、サポートスリーブ１の端面を示している、図１ｂの平面図からも明らかである。凹部は、それぞれ２つの壁部６，７と、底部８とから形成される。凹部２〜５間には、それらを連結する凸部９，１０，１１，１２が延在している。
【００１８】
サポートスリーブ１のこのような構成によって、サポートスリーブ１の材料が柔軟性を有することにより、半径方向に圧縮することが可能となり、また、サポートスリーブを部品の貫通部へ挿入することが可能となる。貫通部の直径は、図１ａ及び図１ｂの緩み位置におけるサポートスリーブの直径よりも小さい。サポートスリーブ１が半径方向に圧縮されると、まず、底部８が内側に湾曲し、壁部６と壁部７とが互いに接近する。これは、サポートスリーブの４つのすべての凹部２〜５が均一に形成されることによって、一様に行われる。これによって、サポートスリーブにかなりの弾性を与えることになる。部品へのサポートスリーブ１の挿入とその機能については、図５を参照して、下記に説明する。図５から、サポートスリーブ１がその孔４１の中に、ネジ１３を収容していることがわかる。
【００１９】
このネジをサポートスリーブ１に確実に結合するため、図２ａ及び図２ｂにおいて、底部８には、内方に向いた突出部１５，１６，１７，１８が設けられている。これらの突出部は、図２ａの断面II−IIから明らかなように、サポートスリーブ１の一側に設けられている。また、図５に示すように、突出部１６，１８は、ネジ１３がその頭部１９の方向へサポートスリーブ１から滑り出ることを、防止する作用をなしている。このネジ１３が滑り出ることを防止する作用は、ネジ山２０の直径によって達成される。すなわち、ネジ山２０の直径は、突出部１６，１８（図２ａにおいては１５，１７）の直径よりも大きい。
【００２０】
図３は、図２ａ及び図２ｂに示すサポートスリーブ１の構成の変形例、すなわち、サポートスリーブ２１を示す斜視図であり、サポートスリーブ２１は、サポートスリーブ１と同様に、４つの凹部２２，２３，２４，２５を有している。底部と壁部とを備えた凹部は、凹部２２〜２５を連結する凸部２６，２７，２８，２９よりも、軸方向にわずかに長い。サポートスリーブ２１の目に見えない反対側にも、凹部２２〜２５の同様の延長部が設けられている。この延長部により、サポートスリーブ２１を貫通するネジが、そのネジ頭部で、上記延長部上及び支持体上に支持される（図５参照）。その結果、ネジによってサポートスリーブ２１に加えられる圧力は、上記延長部で吸収され、また、延長部が堅固に締め付けられる。逆に、凸部２６，２７，２８，２９は、一定の柔軟性を有する状態で残される。これは、サポートスリーブ２１を受け入れ、かつ、サポートスリーブ２１を固定するように取り囲む部品が、サポートスリーブ２１の堅固に締め付けられた延長部に対して、上記凸部の弾性の範囲内において、わずかに移動可能であることを意味している。
【００２１】
サポートスリーブ２１は、さらに、凸部２６〜２９の領域に、内方に向いた波状溝３０，３１，３２，３３を備えている。この波状溝３０〜３３は、サポートスリーブ２１にさらなる弾性を与え、また、この波状溝３０〜３３によって、凸部２６〜２９は、同様にわずかに圧縮される。
【００２２】
図４は、サポートスリーブ３４の端面を示す平面図であり、凹部３７の壁部３５，３６が、矢印３８で示す半径方向に対して、斜めに延出している。上記壁部の斜め位置は、サポートスリーブ３４の４つのすべての凹部において、繰り返される。上記サポートスリーブに時計回転のトルクが加えられると（図３の延長部上に位置する、ネジ頭部を有するネジによって）、壁部３６は、部品の貫通部の壁部によって支持され、また、このような態様において、部品内におけるサポートスリーブ３４の回転に対して、特別な抵抗力を付与する。
【００２３】
図５は、前述の、サポートスリーブ１と、部品３９及び支持体４０との組立体を示す図である。サポートスリーブ１は、部品３９の貫通孔１４に押し込まれている。サポートスリーブ１の孔４１には、ネジ１３が挿入される。ネジ１３は、ネジ頭部１９の下のワッシャ４２で支持され、締め付けられると、サポートスリーブ１の各端面をワッシャ４２によって押圧する。ネジ山２０が設けられているネジ１３の端部は、支持体４０内にねじ込まれ、支持体４０に対して締め付けられる。このようにして、部品３９と支持体４０とが結合される。サポートスリーブ１は、部品３９からネジ１３によって発生する圧縮力を除去する。その結果、繊細な材料からなる部品３９が、ワッシャ４２の領域で押しつぶされることはない。
【００２４】
図６は、図５に示す結合の変形例を示すものであり、ネジ４３は、その首部４４の領域においてワッシャ４５を支持している。ワッシャ４５は、ネジ４３の拡径部５６と、首部４４に形成された鍔部４６とによって、首部４４上の移動が制限される。この構成により、ネジ４３がサポートスリーブ１から外れることが防止される。鍔部４６は、ワッシャ４５が首部４４によって既に支持されている状態で、ネジ４３の製造時に形成される。この鍔部４６の形成によって、図６に示すように、首部４４にテーパ部４７が形成される。ワッシャ４５の付いたネジ４３をサポートスリーブ１内へ、サポートスリーブ１の孔４１の中へ突出している突出部１６、１８の側から挿入するため、拡径部５６が設けられており、ネジ４３がサポートスリーブ１内に挿入されると、ワッシャ４５は拡径部５６に当接する。
【００２５】
ワッシャ４５を、図７の拡大平面図に示す。ワッシャ４５の開口部４８は、破線で示す３つの重なり合う円形領域によって画成され、これらの円形領域の円形端部４９，５０，５１は角部５２，５３，５４で交わり、３つの凹部を有する開口部４８を形成する。図６のネジ４３の首部４４が、これらの凹部に嵌合する。角部５２，５３，５４は、破線で示す円弧上にあり、この円弧の直径は、拡径部５６の領域におけるネジ４３の直径、又は鍔部４６の直径よりも小さい。このようなワッシャ４５の開口部４８の構成によって、首部４４を有するネジ４３は、各円形端部４９，５０，５１に当接し、これによってネジ４３とワッシャ４５との間に、かなりの遊びが確保される。その結果、その中にねじ込まれるネジ４３の位置を規定する支持体によって、サポートスリーブ１により支持体に固定される部品に対し、端部４９，５０，５１によって形成される遊び量が付与される。したがって、固定ネジ４３とサポートスリーブ１、及び、部品と支持体（図５では符号３９，４０）とがこのように結合することによって、サポートスリーブ１を用いた部品と支持体との組立体に対し、かなりの寸法公差に対する補償が保証される。
【００２６】
図８は、サポートスリーブ１と支持体４０と部品３９との組立体を示し、ネジ１３がサポートスリーブ１にねじ込まれており、それによって内ネジが切られている。このため、サポートスリーブ１（その壁部６、７が図８に示されている）の孔４１を形成する凹部は、ネジ１３のネジ山に対して、小径となっている。その結果、サポートスリーブ１に切られた内ネジによって、ネジ１３をサポートスリーブ１内に確実に固定することができる。
【図面の簡単な説明】
【００２７】
【図１ａ】サポートスリーブを示す斜視図である。
【図１ｂ】サポートスリーブを示す平面図である。
【図２ａ】内方に向いた突出部を有する、図１のサポートスリーブの変形例を示す平面図である。
【図２ｂ】内方に向いた突出部を有する、図１のサポートスリーブの変形例を示す断面図である。
【図３】凹部を有すると共に、２つの凹部を連結する各凸部に波状溝を有するサポートスリーブを示す斜視図であり、これらの凹部は、これらの凹部を連結する凸部に対して、軸方向に延出している。
【図４】半径方向に対して斜め方向に延びる凹部の壁部を有する、サポートスリーブの変形例を示す図である。
【図５】サポートスリーブと、サポートスリーブによって支持体に固定された部品との組立体を示す図である。
【図６】サポートスリーブとネジとを連結するためのワッシャを有する、サポートスリーブを示す図である。
【図７】ワッシャを示す図である。
【図８】部品を取り付けたサポートスリーブと支持体との組立体を示す図であり、サポートスリーブは、ネジのネジ山に対してその径が小さい。
【符号の説明】
【００２８】
１  サポートスリーブ
２，３，４，５  凹部
６，７  壁部
８  底部
９，１０，１１，１２  凸部
１３  ネジ
１４  貫通孔
１５，１６，１７，１８  突出部
１９  頭部
２０  ネジ山
２１  サポートスリーブ
２２，２３，２４，２５  凹部
２６，２７，２８，２９  凸部
３０，３１，３２，３３  波状溝
３４  サポートスリーブ
３５，３６  壁部
３７  凹部
３８  矢印
３９  部品
４０  支持体
４１  孔
４２  ワッシャ
４３  ネジ
４４  首部
４５  ワッシャ
４６  鍔部
４７  テーパ部
４８  開口部
４９，５０，５１  円形端部
５２，５３，５４  角部
５５  円弧
５６  拡径部
【図１ａ】
2005515381.tif 000003
【図１ｂ】
2005515381.tif 000004
【図２ａ】
2005515381.tif 000005
【図２ｂ】
2005515381.tif 000006
【図３】
2005515381.tif 000007
【図４】
2005515381.tif 000008
【図５】
2005515381.tif 000009
【図６】
2005515381.tif 000010
【図７】
2005515381.tif 000011
【図８】
2005515381.tif 000012
【手続補正書】
【提出日】平成16年9月2日(2004.9.2)
【手続補正１】
【補正対象書類名】特許請求の範囲
【補正対象項目名】請求項１
【補正方法】変更
【補正の内容】
【請求項１】
部品（３９）の貫通部（１４）に挿入可能なサポートスリーブ（１，２１，３４）であって、前記部品（３９）を支持体（４０）に固定するため、前記サポートスリーブ（１，２１，３４）の孔（４１）に、前記支持体（４０）に挿入可能な固定ピン、特にネジ（１３，４３）が貫通されるサポートスリーブ（１，２１，３４）において、前記サポートスリーブ（１，２１，３４）は、断面が閉じた輪として形成され、かつ、前記サポートスリーブ（１，２１，３４）の全長にわたって延びる複数の軸方向に延在する凹部（２，３，４，５；２２，２３，２４，２５）を有し、前記凹部（２，３，４，５；２２，２３，２４，２５）は、放射状に内方に向いた壁部（６，７；３５，３６）及び底部（８）によって形成され、前記底部（８）は、前記孔（４１）に面するように前記壁部（６，７；３５，３６）の側部に接合されると共に半径方向の圧力が加えられたときに内側に湾曲するように延在していることを特徴とするサポートスリーブ。
【手続補正２】
【補正対象書類名】特許請求の範囲
【補正対象項目名】請求項６
【補正方法】変更
【補正の内容】
【請求項６】
前記ワッシャ（４５）の開口部（４８）は、３つの重なり合う円形領域によって画成され、前記円形領域の中心点は、円弧上にあり、前記円弧の中心点は、前記サポートスリーブの軸線と一致し、前記円弧領域の前記３つの中心点は、前記円弧上に均一に配置されることを特徴とする請求項５に記載のサポートスリーブ。
【国際調査報告】
2005515381.tif 000013
2005515381.tif 000014
2005515381.tif 000015
2005515381.tif 000016
2005515381.tif 000017
2005515381.tif 000018